(57)【要約】【課題】内視鏡の先端部の温度上昇を抑制することが可能な照明光学装置、内視鏡を提供する。【解決手段】内視鏡１１の先端部１６ａには、照明光学装置２０が装着されている。照明光学装置２０は、照明光学装置２０は、鏡筒４３の内周に、後端側から先端側へ向けて、光学ロッド４０、第１レンズ４１、間隔環４４、第２レンズ４２が、この順番で収められることによって構成されている。鏡筒４３は金属から形成され、鏡筒４３の内周は研磨処理が施され、反射率が高められている。このように鏡筒４３の内周の反射率を従来とは逆に敢えて高めることで、温度上昇を抑制できる。また、従来から反射光が存在する前提で設計が行われていることから、反射率を高めても大幅な設計の変更を行う必要もない。【選択図】図３
2020130187.tif 000002
【特許請求の範囲】
【請求項１】
内視鏡の挿入部の先端部に設けられ、ライトガイドを介して前記先端部に伝達される光源装置からの照明光を観察部位に照射する照明光学装置において、
前記ライトガイドからの照明光が入射されるとともに、入射した照明光を前記観察部位へ向けて出射させる光学素子と、
筒状に形成され、内周により前記光学素子の側面を支持する鏡筒と、を備え、
前記鏡筒は、前記内周のうち少なくとも前記光学素子の側面と対面する部位が、研磨処理の施された金属から形成されている照明光学装置。
【請求項２】
前記鏡筒は、前記内周のうち少なくとも前記光学素子の側面と対面する部位について、前記照明光の反射率が８５％以上である請求項１記載の照明光学装置。
【請求項３】
前記光学素子は、光透過性を有する接着剤により前記内周に接着されている請求項１または２記載の照明光学装置。
【請求項４】
前記接着剤を含む前記内周について、前記照明光の反射率が８５％以上である請求項３記載の照明光学装置。
【請求項５】
前記内周は、アルミニウムから形成されている請求項１〜４のいずれか１項に記載の照明光学装置。
【請求項６】
前記内周は、ステンレス綱から形成されている請求項１〜４のいずれか１項に記載の照明光学装置。
【請求項７】
前記光学素子は、前記ライトガイドの前方に配置される第１素子と、前記第１素子の前方に配置される第１レンズとを有する請求項１〜６のいずれか１項に記載の照明光学装置。
【請求項８】
前記光学素子は、前記第１レンズの前方に配置される第２レンズを有する請求項７記載の照明光学装置。
【請求項９】
前記光学素子は、前記ライトガイドの前方に配置される１つの素子からなり、
前記光学素子の光入射面は、前記ライドガイドからの照明光を拡散させる光拡散面である請求項１〜６のいずれか１項に記載の照明光学装置。
【請求項１０】
ライトガイドを介して前記先端部に伝達される光源装置からの照明光を観察部位に照射する照明光学装置が、挿入部の先端部に設けられた内視鏡において、
前記照明光学装置は、
前記ライトガイドからの照明光が入射されるとともに、入射した照明光を前記観察部位へ向けて出射させる光学素子と、
筒状に形成され、内周により前記光学素子の側面を支持する鏡筒と、を備え、
前記鏡筒は、
前記内周のうち少なくとも前記光学素子の側面と対面する部位が、研磨処理の施された金属から形成されている内視鏡。
【発明の詳細な説明】
【技術分野】
【０００１】
本発明は、被観察部位に光源からの照明光を照射する照明光学装置、内視鏡に関する。
【背景技術】
【０００２】
医療用の内視鏡は、体内に挿入される挿入部の先端部に、観察光学装置と照明光学装置とが内蔵されており、照明光学装置で被観察部位を照明し、照明された被観察部位の画像情報を観察光学装置で映像信号として取り出し、その画像をモニタ等に表示する。挿入部には、先端部から基端部へと貫通する内部空間にライトガイドが収容されている。ライトガイドは、例えば多数の光ファイバを束状にしたものであり、外部の光源装置から一端（入射端）に照明光を入射し、その照明光を先端部へと導いて、他端（出射端）から出射するようになっている。出射端からの照明光は、照明光学装置を通して被観察部位に向けて照射される。照明光学装置は、１または複数のレンズなどの光学素子と、光学素子が収められた鏡筒とからなり、被観察部位に向けて照射される照明光が所望の配光となるように、ライトガイドからの照明光を収束及び／または拡散させる。
【０００３】
このように、照明光学装置では鏡筒内で照明光が収束及び／または拡散されるため、照明光が鏡筒の内周に当たって吸収されるなどにより、温度が上昇してしまうといった問題があった。このため、下記特許文献１では、先端側へ向けて内径が大径となるように照明光学装置を構成している。こうすることで、鏡筒の内周に当たって吸収される照明光を減少させることができ、温度上昇を抑制できる。
【先行技術文献】
【特許文献】
【０００４】
【特許文献１】特許第５３４５１７１号公報
【発明の概要】
【発明が解決しようとする課題】
【０００５】
上述のように、上記特許文献１記載の装置によれば、温度上昇を抑制できるが、近年、より鮮明な観察画像を得るなどの目的から照明光量が増加し、これに伴ってより確実に温度上昇を抑制する必要があった。
【０００６】
本発明は、上記課題を鑑みてなされたものであり、温度上昇をより確実に抑制できる照明光学装置及び内視鏡を提供することを目的としている。
【課題を解決するための手段】
【０００７】
上記目的を達成するため、本発明の照明光学装置は、
内視鏡の挿入部の先端部に設けられ、ライトガイドを介して先端部に伝達される光源装置からの照明光を観察部位に照射する照明光学装置において、
ライトガイドからの照明光が入射されるとともに、入射した照明光を観察部位へ向けて出射させる光学素子と、
筒状に形成され、内周により光学素子の側面を支持する鏡筒と、を備え、
鏡筒は、内周のうち少なくとも光学素子の側面と対面する部位が、研磨処理の施された金属から形成されている。
【０００８】
鏡筒は、内周のうち少なくとも光学素子の側面と対面する部位について、照明光の反射率が８５％以上であってもよい。
【０００９】
光学素子は、光透過性を有する接着剤により内周に接着されているものでもよい。
【００１０】
接着剤を含む内周について、照明光の反射率が８５％以上であるものでもよい。
【００１１】
内周は、アルミニウムから形成されているものでもよい。
【００１２】
内周は、ステンレス綱から形成されているものでもよい。
【００１３】
光学素子は、ライトガイドの前方に配置される第１素子と、第１素子の前方に配置される第１レンズとを有するものでもよい。
【００１４】
光学素子は、第１レンズの前方に配置される第２レンズを有するものでもよい。
【００１５】
光学素子は、ライトガイドの前方に配置される１つの素子からなり、
光学素子の光入射面は、ライドガイドからの照明光を拡散させる光拡散面であってもよい。
【００１６】
また、上記目的を達成するため、本発明の内視鏡は、
ライトガイドを介して先端部に伝達される光源装置からの照明光を観察部位に照射する照明光学装置が、挿入部の先端部に設けられた内視鏡において、
照明光学装置は、
ライトガイドからの照明光が入射されるとともに、入射した照明光を観察部位へ向けて出射させる光学素子と、
筒状に形成され、内周により光学素子の側面を支持する鏡筒と、を備え、
鏡筒は、
内周のうち少なくとも光学素子の側面と対面する部位が、研磨処理の施された金属から形成されている。
【発明の効果】
【００１７】
本発明によれば、研磨処理の施された金属から形成することにより鏡筒の内周の反射率を向上させたので、温度上昇をより確実に抑制できる。
【図面の簡単な説明】
【００１８】
【図１】内視鏡装置の概略図である。
【図２】内視鏡の先端部及び照明光学装置の分解斜視図である。
【図３】内視鏡の先端部及び照明光学装置の断面図である。
【図４】各部位における照明光の損失の割合を示す説明図である。
【図５】実施例及び比較例の光源ロスの和と発熱比とを示す説明図である。
【図６】実施例及び比較例のレンズ効率と光量ロスの和とを示す説明図である。
【図７】実施例及び比較例の発熱比を示す説明図である。
【図８】反射率と発熱比との関係を示す説明図である。
【図９】表面粗さと反射率との関係を示す説明図である。
【図１０】内視鏡の先端部及び照明光学装置の断面図である。
【発明を実施するための形態】
【００１９】
図１に示すように、内視鏡装置１０は、内視鏡１１と、プロセッサ装置１２と、光源装置１３と、モニタ１４と、コンソール１５とを備えている。内視鏡１１は、被写体を撮影する。プロセッサ装置１２は、内視鏡装置１０の制御及び画像処理等を行う。光源装置１３は、照明光を発生する。モニタ１４は、内視鏡画像を表示する表示部である。コンソール１５は、プロセッサ装置１２等への設定入力等を行う入力デバイスである。
【００２０】
内視鏡１１は、被検体内に挿入される可撓性の挿入部１６と、挿入部１６の基端部に連設され、内視鏡１１の把持及び挿入部１６の操作に用いられる操作部１７と、操作部１７をプロセッサ装置１２及び光源装置１３にそれぞれ接続するユニバーサルコード１８とを備えている。挿入部１６の先端部位である先端部１６ａには、撮像素子や対物光学系１９、一対の照明光学装置２０が内蔵されている（図２参照）。また、先端部１６ａの後端には、湾曲自在な湾曲部１６ｂが連設されている。
【００２１】
操作部１７には、アングルノブ２２、操作ボタン２３、鉗子入口２４が設けられている。アングルノブ２２は、挿入部１６の湾曲方向及び湾曲量を調整する際に回転操作される。操作ボタン２３は、送気・送水や吸引等の各種の操作に用いられる。鉗子入口２４は挿入部１６内に挿通された鉗子チャネルに連通している。ユニバーサルコード１８には、送気・送水チャンネル、信号ケーブルなどが通されている。
【００２２】
プロセッサ装置１２は、内視鏡１１及び光源装置１３と電気的に接続され、内視鏡装置１０の動作を統括的に制御する。プロセッサ装置１２は、ユニバーサルコード１８や挿入部１６内に挿通された信号ケーブルを介して先端部１６ａの撮像素子の駆動を制御する。また、プロセッサ装置１２は、信号ケーブルを介して撮像素子から出力された撮像信号を取得し、各種画像処理を施してモニタ１４に観察画像として表示する。
【００２３】
光源装置１３には、照明光の光源が内蔵されている。光源装置１３からの照明光は、ライトガイド２７（図３参照）を通して照明光学装置２０に導かれ、照明光学装置２０から被観察部位に照射される。ライトガイド２７は、例えば、多数の光ファイバ(ファイバー素線)を円柱形状になるように束ねたものであり、ユニバーサルコード１８及び挿入部１６の内部を通されて、出射側の端部が先端部１６ａにまで達している。ライトガイド２７は、光源装置１３側の端面に光源からの照明光が入射され、入射された照明光を先端部１６ａにまで導き、先端部１６ａ側の端面から出射する。
【００２４】
図２に示すように、先端部１６ａは、円柱形状の先端部本体３１と、これに組み込まれた前述の撮像素子や対物光学系１９、一対の照明光学装置２０などで構成される。先端部本体３１は、硬質な樹脂や金属材料などで形成されている。先端部本体３１の先端面３１ａには、観察窓３３、一対の照明窓３４、送気送水ノズル３５、鉗子チャネルの出口となる鉗子出口３６が設けられている。
【００２５】
観察窓３３は、被観察部位の撮像を行うためのものであり、対物光学系１９が組み込まれ、その一部が露呈されている。対物光学系１９の奧には、撮像素子が配されており、この撮像素子により、対物光学系１９を通して被観察部位の撮像が行われる。
【００２６】
照明窓３４は、被観察部位を照明するためのものであり、照明光学装置２０が組み込まれている。照明光学装置２０は、ライトガイド２７から出射される照明光を、撮像に適したように、例えば撮像範囲が均一に照明されるように配光する。なお、一対の照明窓３４は、観察窓３３を挟んだ両側に設けられているが、照明窓３４の個数や配置は適宜に変更することができる。
【００２７】
各照明光学装置２０は、先端部本体３１に形成された照明光学装置装着孔３８に挿入されて組み付けられている。照明光学装置装着孔３８は、先端面３１ａから照明光学装置２０の光軸ＰＬに沿って後方に向かって延びて形成され、それの先端面３１ａでの開口が照明窓３４となっている。また、先端部本体３１には、照明光学装置装着孔３８の奥に、ライトガイド２７が挿通されるライトガイド挿通孔３９（図３参照）が照明光学装置装着孔３８に繋げて形成されている。照明光学装置装着孔３８、ライトガイド挿通孔３９は、いずれも断面円形の孔であり、同軸に形成されている。
【００２８】
照明光学装置２０は、光学ロッド（光学素子、第１素子）４０と、第１レンズ（光学素子）４１と、第２レンズ（光学素子）４２と、鏡筒４３と、間隔環４４とを備えている。そして、照明光学装置２０は、鏡筒４３の内周に、後端側（ライトガイド側）から先端側（照明窓側）へ向けて、光学ロッド４０、第１レンズ４１、間隔環４４、第２レンズ４２が、この順番で収められることによって構成されている。なお、これら光学ロッド４０、第１レンズ４１、間隔環４４、第２レンズ４２を、鏡筒４３の内周に接着剤により接着してもよい。
【００２９】
鏡筒４３の内周は、後端側から先端側へ向けて、内径が２段階に渡って大径化されており、後端側が内径の最も小さな第１内径部４３ａとなっており、中間部分が第１内径部４３ａよりも内径の大きな第２内径部４３ｂとなっており、先端側が内径の最も大きな第３内径部４３ｃとなっている。
【００３０】
第１内径部４３ａの内径は、光学ロッド４０の外径よりも小さく（例えば０．１ｍｍ程度小さく）、第２内径部４３ｂの内径は、光学ロッド４０の外径よりも僅かに大きく（例えば１０μｍ程度大きく）形成されている。光学ロッド４０は、鏡筒４３の先端側から第２内径部４３ｂに挿入される。そして、光学ロッド４０は、後端が第１内径部４３ａと第２内径部４３ｂとの間の段差に当接することにより前後方向の位置決めがなされるとともに、側面が第２内径部４３ｂの内周により保持される。
【００３１】
第２内径部４３ｂの内径は、第１レンズ４１の外径よりも小さく（例えば０．１ｍｍ程度小さく）、第３内径部４３ｃの内径は、第１レンズ４１の外径よりも僅かに大きく（例えば１０μｍ程度大きく）形成されている。また、第２内径部４３ｂの長さ（光軸ＰＬ方向の長さ）は、光学ロッド４０の長さ（光軸ＰＬ方向の長さ）よりも長く形成されている。第１レンズ４１は、光学ロッド４０が第２内径部４３ｂに挿入された後に、鏡筒４３の先端側から第３内径部４３ｃに挿入される。そして、第１レンズ４１は、後端が第２内径部４３ｂと第３内径部４３ｃとの間の段差に当接することにより、光学ロッド４０との間に所定の間隔を空けた状態で、前後方向への位置決めがなされるとともに、側面が第２内径部４３ｂの内周により保持される。
【００３２】
間隔環４４、及び、第２レンズ４２は、外径が第３内径部４３ｃの内径よりも僅かに小さく（例えば１０μｍ程度小さく）形成されている。間隔環４４は、第１レンズ４１が第３内径部４３ｃに挿入された後に第３内径部４３ｃに挿入され、さらにこの後、第２レンズ４２が第３内径部４３ｃに挿入される。そして、間隔環４４は、後端が第１レンズ４１と当接することにより前後方向への位置決めがなされる。また、第２レンズ４２は、第１レンズ４１との間に配置された間隔環４４により、第１レンズ４１との間に所定の間隔を空けた状態で、前後方向への位置決めがなされる。さらに、間隔環４４、及び、第２レンズ４２は、側面が第３内径部４３ｃの内周により保持される。
【００３３】
また、第１内径部４３ａの内周は、ライトガイド２７の外周よりも僅かに大きく（例えば１０μｍ程度大きく）形成されおり、照明光学装置２０（鏡筒４３）が、照明光学装置装着孔３８に装着されると、ライトガイド２７の先端部が第１内径部４３ａに挿入されて支持される。そして、ライトガイド２７から出射した照明光が光学素子（本実施形態では、光学ロッド４０、第１レンズ４１、第２レンズ４２）を通る際に収束及び／または拡散されることにより所望の配光とされ、被観察部位へ向けて出射される。なお、本実施形態では、第２レンズ４２の先端部分（第２レンズ４２のうち、先端面３１ａから突出する部分）の外周に、面取り加工（角を落とす加工）が施された面取り部４２ａが設けられている。
【００３４】
このように、照明光学装置２０では、光学素子を通る照明光が収束及び／または拡散されるため、光軸ＰＬから傾き、鏡筒４３の内周に向かう照明光も発生する。一般に、このような照明光（鏡筒４３の内周に向かう照明光）は、所望の配光を得るための障害となることを懸念して、通常は、鏡筒４３の内周を黒色とする、及び／または、鏡筒４３の内周に光学素子などを固定するための接着剤として黒色のものを用いるなどにより、鏡筒４３の内周の吸収率（照明光の吸収率）を高める傾向にある。また、鏡筒４３の内周の吸収率については、特別な配慮を施さない場合もある。
【００３５】
一方、吸収率を１００％とすることは難しく、照明光学装置２０を設計する段階では、鏡筒４３の内周で照明光が反射されることを考慮に入れる必要がある。すなわち、反射光が存在する前提で照明光学装置２０が設計されている。また、吸収率を高めると、照明光の吸収により温度上昇を招いてしまうといった問題もある。このため、照明光学装置２０では、照明光の吸収率を高めることはせずに、反対に、照明光の反射率を高めている。具体的には、鏡筒４３を金属（本実施形態では、ステンレス鋼）から形成している。また、鏡筒４３の内周に研磨処理を施している。このように鏡筒４３を金属製とし、鏡筒４３の内周に研磨処理を施すことにより、鏡筒４３の内周の反射率を従来とは逆に敢えて高める（本実施形態では、８５％以上としている）ことで、温度上昇を抑制できる。また、従来から反射光が存在する前提で設計が行われていることから、反射率を高めても大幅な設計の変更を行う必要もない。
【００３６】
なお、研磨処理としては、化学研磨処理、電解研磨処理が挙げられる。もちろん、研磨剤などを用いて鏡筒４３の内周を物理的に研磨してもよい。また、鏡筒の材質を、ステンレス鋼以外の金属、例えば、アルミニウムに変更してもよい。さらに、鏡筒４３の内周にコーティング処理を施すことにより照明光の反射率を高めてもよい。コーティング処理としては、めっき処理が挙げられる。また、スパッタリングまたは蒸着によりアルミニウムをコーティングしてもよい。
【００３７】
また、接着剤を用いて鏡筒４３の内周に光学素子を接着する場合があるが、このような場合には、鏡筒４３の内周の反射率を高めても、接着剤により照明光が吸収され、温度上昇を招いてしまう。このため、接着剤を用いて鏡筒４３の内周に光学素子を接着する場合には、透明な（光透過性を有する）接着剤を用いることが好ましい。さらに、接着剤を用いて鏡筒４３の内周に光学素子を接着する場合には、接着剤を含む鏡筒４３の内周の反射率を高める、具体的には、８５％以上とすることが好ましい。
【００３８】
さらに、鏡筒４３の内周のうち反射率を高める部位については、自由に設定できるため、鏡筒４３の内周全体について反射率を高めてもよいし、鏡筒４３の内周の一部について反射率を高めてもよい。ただし、鏡筒４３の内周の一部について反射率を高める場合は、少なくとも光学素子の側面と対面する部分について反射率を高めることが好ましい。さらに、鏡筒４３の内周だけでなく、間隔環４４（間隔環４４の内周）についても、反射率を高めてもよい。
【００３９】
以下、図４〜図９を基に、本発明の効果をシミュレーションにより検証した検証結果について説明を行う。図４〜図７に示すように、検証は、本発明を実施した実施例１と、実施例１と比較するための比較例１〜３に基づいて行った。
【００４０】
実施例１は、図３に示す照明光学装置２０において、鏡筒４３をアルミニウムから形成し、さらに、鏡筒４３を研磨するとともに、鏡筒４３の内周に、光透過性を有する接着剤で光学ロッド４０、第１レンズ４１、間隔環４４、第２レンズ４２を接着することにより、接着部分を含む鏡筒４３の内周全体について反射率を９０％としたものである。
比較例１は、図３に示す照明光学装置２０において、鏡筒４３をステンレス綱から形成するとともに、鏡筒４３の内周に、黒色の接着剤で光学ロッド４０、第１レンズ４１、間隔環４４、第２レンズ４２を接着することにより、接着部分を含む鏡筒４３の内周全体について反射率を０％としたものである。
また、比較例２は、鏡筒４３の内周全体について反射率を４０％としたものである。
さらに、比較例３は、比較例１と比較して接着剤として光透過性を有するものを用いることにより、鏡筒４３の内周全体について反射率を６５％としたものである。
【００４１】
図４に示すように、検証では、以下１〜９を求めた。結果は、図４に示す通りである。
１：光学ロッド側面ロス
光学ロッド４０の側面と対面する部位に起因する照明光の損失（入射した照明光のうち鏡筒４３の内周に吸収されるなどして出射しなかった照明光の割合）である。
２：鏡筒ロスＡ
光学ロッド４０と第１レンズ４１との間の部位に起因する照明光の損失である。
３：第１レンズ側面ロス
第１レンズ４１の側面と対面する部位に起因する照明光の損失である。
４：鏡筒ロスＢ
第１レンズ４１と第２レンズ４２との間の部位に起因する照明光の損失である。
５：第２レンズ側面ロス
第２レンズ４２の側面と対面する部位に起因する照明光の損失である。
６：面取り部ロス
面取り部４２ａに起因する照明光の損失である。
７：レンズ効率（透過率）
光学素子（光学ロッド４０、第１レンズ４１、第２レンズ４２）の照明光の透過率である。
８：ライトガイドへの戻り光
ライトガイド２７から照明光学装置２０へ入射した照明光のうち、ライトガイド２７へ向けて戻る照明光の割合である。
９：合計
上記１〜８を合計した値であり、ライトガイド２７から光学素子に入射した照明光量とほぼ等しくなる。
【００４２】
また、図５〜図７に示すように、検証では、温度上昇（発熱）の原因となる光量ロスの和（上記１〜６の和）及び発熱比（比較例１における光量ロスの和を発熱比１００％としたときの比較例２、３、及び実施例の光量ロスの和の割合）を求めた。実施例及び比較例１〜３それぞれの光量ロスの和と発熱比は、図５に示す通りである。なお、図６は、実施例及び比較例１〜３それぞれの光量ロスの和とレンズ効率（透過率）（図５参照）を示しており、四角い指標が光量ロスの和を示し、丸い指標がレンズ効率（透過率）を示している。また、図７は、実施例及び比較例１〜３それぞれの発熱比を示している。図５、図７より、実施例では発熱比が目標として設定した７０％を下回り、目標の達成が可能であり、それ以外では発熱比が７０％を上回り、目標を達成できないことが判明した。
【００４３】
また、図８に示すように、検証では、接着部分を含む鏡筒４３の内周全体の反射率と、発熱比との関係を求めた。この検証では、実施例及び比較例１〜３それぞれの発熱比（図７参照）、及び、実施例及び比較例１〜３それぞれの接着部分を含む鏡筒４３の内周全体の反射率（実施例は９０％、比較例１は０％、比較例２は４０％、比較例３は６５％）を用いて、前述の関係を求めた。この検証により、接着部分を含む鏡筒４３の内周全体の反射率が８５％以上であれば、発熱比が目標として設定した７０％を下回り、目標の達成が可能であることが判明した。
【００４４】
以上の検証により、接着部分を含む鏡筒４３の内周全体の反射率が８５％以上であれば、目標の達成が可能であることが判明したため、続けて、鏡筒をアルミニウムから形成した場合に、アルミニウムの表面粗さ「Ｒａ」がどの程度であれば目標の達成が可能であるかについても調べた。アルミニウムの表面粗さと、反射率との関係は、図９に示す通りである。これにより、「Ｒａ」が０．０２μｍ以下であれば、目標の達成が可能であることが判明した。
【００４５】
なお、本発明は、上記実施形態に限定されず、細部の構成については適宜変更できる。例えば、上記実施形態では、光学素子が、光学ロッドと第１レンズと第２レンズとから構成される例で説明をしたが、本発明はこれに限定されない。光学素子を構成する素子の数、種類、及び／または、組み合わせは上記実施形態に限定されず適宜変更できるので、例えば、図１０に示す照明光学装置１００のように、１つの素子から光学素子を構成してもよい。図１０において、照明光学装置１００は、光学素子が光学ロッド１０２のみであり、この光学ロッド１０２が鏡筒１０３の内周に収められている。また、この光学ロッド１０２は、前述した光学ロッド４０と比較して、光入射面１０４に微細な凹凸を形成するなどして、光入射面１０４に照明光を拡散させる機能を持たせている。なお、図１０では、上述した実施形態と同様の部材については同様の符号を付して説明を省略している。もちろん、図３、図１０の例に限定されず、２つの素子から光学素子を構成してもよいし、４つ以上の素子から光学素子を構成してもよい。
【００４６】
また、上記実施形態では、鏡筒４３を、ステンレス鋼、または、アルミニウムから形成する例で説明をしたが、本発明はこれに限定されない。鏡筒４３を形成する材料については適宜変更できる。さらに、例えば、鏡筒４３の内周部分のみを鏡筒４３の他の部分とは異なる材料から形成するといったように、部位に応じて材料を異ならせてもよい。また、鏡筒４３の先端部は、患者の体内に挿入されるため、鏡筒４３の先端部については、ステンレス綱など耐腐食性の高い材料から形成し、その他の部分をアルミニウムなどから形成するといったことも考えられる。もちろん、外部と接触する部分のみを耐腐食性の高い材料を用いて封止して（覆って）もよい。
【符号の説明】
【００４７】
１０  内視鏡装置
１１  内視鏡
１２  プロセッサ装置
１３  光源装置
１４  モニタ
１５  コンソール
１６  挿入部
１６ａ  先端部
１６ｂ  湾曲部
１７  操作部
１８  ユニバーサルコード
１９  対物光学系
２０、１００  照明光学装置
２２  アングルノブ
２３  操作ボタン
２４  鉗子口
２７  ライトガイド
３１  先端部本体
３１ａ  先端面
３３  観察窓
３４  照明窓
３５  送気送水ノズル
３６  鉗子出口
３８  照明光学装置装着孔
３９  ライトガイド挿通孔
４０、１０２  光学ロッド（光学素子、第１素子）
４１  第１レンズ（光学素子）
４２  第２レンズ
４２ａ  面取り部
４３、１０３  鏡筒
４３ａ  第１内径部
４３ｂ  第２内径部
４３ｃ  第３内径部
４４  間隔環
１０４  光入射面
【図１】
2020130187.tif 000003
【図２】
2020130187.tif 000004
【図３】
2020130187.tif 000005
【図４】
2020130187.tif 000006
【図５】
2020130187.tif 000007
【図６】
2020130187.tif 000008
【図７】
2020130187.tif 000009
【図８】
2020130187.tif 000010
【図９】
2020130187.tif 000011
【図１０】
2020130187.tif 000012